(57)【要約】【課題】ユーザが乗車する列車内にて、ユーザが所持する携帯情報端末にコンテンツを配信できるシステムを提供する。【解決手段】乗車券情報をコンテンツ管理装置７へ送信すると、コンテンツ管理装置７は、乗車券情報で示される駅に対応するコンテンツを乗車券情報で示される乗車駅に設置されたコンテンツ伝送装置５に配信し、コンテンツ伝送装置５は、ユーザが自動改札機３を通過すると、ユーザが乗車する列車に設置された車内端末装置６へユーザに対応するコンテンツを送信する。車内端末装置６に送信されたコンテンツは、ユーザが携帯情報端末を車内端末装置６の車内リーダライタ６１に近接させたときに、車内端末装置６１から携帯情報端末２にダウンロードされる。【選択図】図１
2014115940.tif 000002
【特許請求の範囲】
【請求項１】
乗車券情報とユーザＩＤが記憶される非接触ＩＣチップを実装した携帯情報端末と、駅名が付加されたコンテンツを記憶しているコンテンツＤＢが接続されたコンテンツ配信装置と、乗車券情報を用いて駅への入場を管理する自動改札機と、コンテンツを前記携帯情報端末にダウンロードさせる車内端末装置と、前記コンテンツ配信装置が配信するコンテンツを前記車内端末装置へ伝送するコンテンツ伝送装置とから少なくとも構成されるコンテンツ配信システムであって、
前記携帯情報端末は、ユーザが乗車券を購入するときに利用する手段で、ユーザが乗車券を購入すると、ユーザが購入した乗車券の乗車券情報を前記非接触ＩＣチップに書き込んだ後、前記非接触ＩＣチップに書き込んだ乗車券情報と前記非接触ＩＣチップに記憶されているユーザＩＤを前記コンテンツ配信装置へ送信する乗車券情報購入手段と、前記車内端末装置から送信されたコンテンツを前記携帯情報端末のメモリにダウンロードするダウンロード手段を備え、
前記コンテンツ配信装置は、ユーザＩＤと乗車券情報が前記携帯情報端末から送信されると、この乗車券情報で示される下車駅の駅名が付加されたコンテンツを前記コンテンツＤＢから検索し、この乗車券情報で示される乗車駅に設置された前記コンテンツ伝送装置へ、前記携帯情報端末から受信したユーザＩＤと検索したコンテンツを配信するコンテンツ配信手段を備え、
前記自動改札機は、前記携帯情報端末の前記非接触ＩＣチップからユーザＩＤと乗車券情報を読み取る改札機リーダライタと、前記改札機リーダライタが前記携帯情報端末の前記非接触ＩＣチップからユーザＩＤと乗車券情報を読み取ると、この乗車券情報の正当性検証を行い、正当性検証に成功すると、このユーザＩＤと乗車券情報を前記コンテンツ伝送装置へ送信する自動改札手段を備え、
前記コンテンツ伝送装置は、前記コンテンツ配信装置から配信されたユーザＩＤとコンテンツを関連付けてメモリに記憶し、前記自動改札機からユーザＩＤと乗車券情報が送信されると、このユーザＩＤとこのユーザＩＤに対応するコンテンツをこの乗車券情報で示される列車の前記車内端末装置へ伝送するコンテンツ伝送手段を備え、
前記車内端末装置は、前記携帯情報端末の前記非接触ＩＣチップからユーザＩＤを読み取る車内リーダライタと、前記コンテンツ伝送装置から送信されたユーザＩＤとコンテンツを関連付けてメモリに記憶し、前記車内リーダライタが前記非接触ＩＣチップからユーザＩＤを読みとると、ユーザＩＤを読み取った前記車内リーダライタに対して、このユーザＩＤに対応するコンテンツを前記携帯情報端末へ送信する車内送信手段を備え、
ていることを特徴とするコンテンツ配信システム。
【請求項２】
駅構外に設置される駅構外端末装置を含むように構成され、
前記駅構外端末装置は、前記携帯情報端末の前記非接触ＩＣチップからユーザＩＤを読み取る駅構外リーダライタと、前記コンテンツ伝送装置から送信されたユーザＩＤとコンテンツを関連付けてメモリに記憶し、前記駅構外リーダライタが前記非接触ＩＣチップからユーザＩＤを読みとると、前記駅構外リーダライタに対して、このユーザＩＤに対応するコンテンツを前記携帯情報端末へ送信する駅構外送信手段を備え、
前記コンテンツ配信装置の前記コンテンツ配信手段は、前記携帯情報端末から送信された乗車券情報で示される下車駅の駅名に加えて、この乗車券情報で示される乗車駅の駅名が付加されたコンテンツを前記コンテンツＤＢから検索して前記コンテンツ伝送装置へ配信し、
前記コンテンツ伝送装置の前記コンテンツ伝送手段は、ユーザＩＤとコンテンツを前記コンテンツ配信装置から受信すると、ユーザＩＤとコンテンツを前記構外端末装置へ配信する、
ことを特徴とする、請求項１に記載したコンテンツ配信システム。
【請求項３】
前記コンテンツＤＢが記憶しているコンテンツに駅名とコンテンツのカテゴリを付加しておき、
前記コンテンツ配信装置の前記コンテンツ配信手段は、ユーザＩＤに関連付けてユーザの嗜好情報を記憶し、前記コンテンツ配信手段は、ユーザＩＤに関連付けて前記携帯情報端末から送信された乗車券情報に対応するコンテンツに加え、前記携帯情報端末から送信されたユーザＩＤに関連付けられた嗜好情報にカテゴリが対応するコンテンツを前記コンテンツＤＢから検索して前記コンテンツ伝送装置に配信する、
ことを特徴とする、請求項１または請求項２に記載のコンテンツ配信システム。
【発明の詳細な説明】
【技術分野】
【０００１】
本発明は、携帯電話に代表される携帯情報端末に対してコンテンツを配信するための技術に関する。
【背景技術】
【０００２】
ＮＦＣ（Near Field Communication）規格に準拠した非接触ＩＣチップを実装した携帯情報端末（例えば、携帯電話）が販売され、携帯情報端末が交通用途に用いられるようになったことをうけて、ユーザが利用する路線にかかるコンテンツを携帯情報端末に配信する試みが検討されている。
【０００３】
例えば、特許文献１では、路線の各駅に対応するコンテンツを予め収集しておき、ユーザが自動改札機を通過する際、ユーザの所持する携帯情報端末から読み取った定期区間の下車駅に対応するコンテンツを携帯情報端末の非接触ＩＣチップに書き込むシステムが開示されている。
【先行技術文献】
【特許文献】
【０００４】
【特許文献１】特開２００４-２７２６２１号公報
【発明の概要】
【発明が解決しようとする課題】
【０００５】
しかし、特許文献１で開示されている発明は、ユーザが自動改札機を通過する際に携帯情報端末の非接触ＩＣチップにコンテンツを書き込むため、ユーザが自動改札機を通過する時間や、非接触ＩＣチップのメモリ容量を考えると、特許文献１で開示されている手法では、容量の大きいコンテンツをユーザに配信することはできない。
【０００６】
天気予報や通勤列車の運行状況など、ユーザが日常で必要となる情報であれば、容量の小さいコンテンツで済むが、旅行や出張などユーザが列車で長距離を移動する場合、下車駅の構内図や町案内など、ユーザに配信すべきコンテンツの容量は大きくなる。
【０００７】
ユーザが列車で長距離を移動する場合、ユーザが自動改札機を通過するときではなく、ユーザが列車に乗車しているときにコンテンツを配信できれば、時間的に余裕があるため、容量の大きいコンテンツをユーザに配信できるし、また、ユーザが容量の大きいコンテンツを読む時間もあると考えられる。
【０００８】
そこで、本発明は、ユーザが乗車する列車内にて、ユーザが所持する携帯情報端末にコンテンツを配信できるシステムを提供することを目的とする。
【課題を解決するための手段】
【０００９】
上述した課題を解決する第１の発明は、乗車券情報とユーザＩＤが記憶される非接触ＩＣチップを実装した携帯情報端末と、駅名が付加されたコンテンツを記憶しているコンテンツＤＢが接続されたコンテンツ配信装置と、乗車券情報を用いて駅への入場を管理する自動改札機と、コンテンツを前記携帯情報端末にダウンロードさせる車内端末装置と、前記コンテンツ配信装置が配信するコンテンツを前記車内端末装置へ伝送するコンテンツ伝送装置とから少なくとも構成されるコンテンツ配信システムである。
【００１０】
第１の発明にかかる前記携帯情報端末は、ユーザが乗車券を購入するときに利用する手段で、ユーザが乗車券を購入すると、ユーザが購入した乗車券の乗車券情報を前記非接触ＩＣチップに書き込んだ後、前記非接触ＩＣチップに書き込んだ乗車券情報と前記非接触ＩＣチップに記憶されているユーザＩＤを前記コンテンツ配信装置へ送信する乗車券情報購入手段と、前記車内端末装置から送信されたコンテンツを前記携帯情報端末のメモリにダウンロードするダウンロード手段を備える。
【００１１】
また、第１の発明にかかる前記コンテンツ配信装置は、ユーザＩＤと乗車券情報が前記携帯情報端末から送信されると、この乗車券情報で示される下車駅の駅名が付加されたコンテンツを前記コンテンツＤＢから検索し、この乗車券情報で示される乗車駅に設置された前記コンテンツ伝送装置へ、前記携帯情報端末から受信したユーザＩＤと検索したコンテンツを配信するコンテンツ配信手段を備える。
【００１２】
また、第１の発明にかかる前記自動改札機は、前記携帯情報端末の前記非接触ＩＣチップからユーザＩＤと乗車券情報を読み取る改札機リーダライタと、前記改札機リーダライタが前記携帯情報端末の前記非接触ＩＣチップからユーザＩＤと乗車券情報を読み取ると、この乗車券情報の正当性検証を行い、正当性検証に成功すると、このユーザＩＤと乗車券情報を前記コンテンツ伝送装置へ送信する自動改札手段を備える。
【００１３】
また、第１の発明にかかる前記コンテンツ伝送装置は、前記コンテンツ配信装置から配信されたユーザＩＤとコンテンツを関連付けてメモリに記憶し、前記自動改札機からユーザＩＤと乗車券情報が送信されると、このユーザＩＤとこのユーザＩＤに対応するコンテンツをこの乗車券情報で示される列車の前記車内端末装置へ伝送するコンテンツ伝送手段を備える。
【００１４】
また、第１の発明にかかる前記車内端末装置は、前記携帯情報端末の前記非接触ＩＣチップからユーザＩＤを読み取る車内リーダライタと、前記コンテンツ伝送装置から送信されたユーザＩＤとコンテンツを関連付けてメモリに記憶し、前記車内リーダライタが前記非接触ＩＣチップからユーザＩＤを読みとると、ユーザＩＤを読み取った前記車内リーダライタに対して、このユーザＩＤに対応するコンテンツを前記携帯情報端末へ送信する車内送信手段を備える。
【００１５】
更に、第２の発明にかかるコンテンツ配信システムは、列車内に加え、ユーザの乗車待ちの間にコンテンツを配信できるようにした発明で、第１の発明に記載したコンテンツ配信システムに、駅構外に設置される駅構外端末装置を含むように構成される。前記駅構外端末装置は、前記携帯情報端末の前記非接触ＩＣチップからユーザＩＤを読み取る駅構外リーダライタと、前記コンテンツ伝送装置から送信されたユーザＩＤとコンテンツを関連付けてメモリに記憶し、前記駅構外リーダライタが前記非接触ＩＣチップからユーザＩＤを読みとると、前記駅構外リーダライタに対して、このユーザＩＤに対応するコンテンツを前記携帯情報端末へ送信する駅構外送信手段を備える。
【００１６】
また、第２の発明において、前記コンテンツ配信装置の前記コンテンツ配信手段は、前記携帯情報端末から送信された乗車券情報で示される下車駅の駅名に加えて、この乗車券情報で示される乗車駅の駅名が付加されたコンテンツを前記コンテンツＤＢから検索して前記コンテンツ伝送装置へ配信し、前記コンテンツ伝送装置の前記コンテンツ伝送手段は、ユーザＩＤとコンテンツを前記コンテンツ配信装置から受信すると、ユーザＩＤとコンテンツを前記構外端末装置へ配信する。
【００１７】
更に、第３の発明にかかるコンテンツ配信システムは、第１の発明または第２の発明に記載したコンテンツ配信システムにおいて、ユーザが利用する駅にかかるコンテンツのみならず、ユーザの嗜好に対応するコンテンツを配信できるようにした発明で、第３の発明において、前記コンテンツＤＢが記憶しているコンテンツには駅名とコンテンツのカテゴリが付加される。そして、第３の発明にかかる前記コンテンツ配信装置の前記コンテンツ配信手段は、ユーザＩＤに関連付けてユーザの嗜好情報を記憶し、前記携帯情報端末から送信された乗車券情報に対応するコンテンツに加え、前記携帯情報端末から送信されたユーザＩＤに関連付けられた嗜好情報にカテゴリが対応するコンテンツを前記コンテンツＤＢから検索して前記コンテンツ伝送装置に配信する。
【発明の効果】
【００１８】
このように、上述した本発明は、容量の大きいコンテンツを配信可能で、少なくとも、ユーザが列車内にてコンテンツを携帯情報端末にダウンロードできるシステムを提供できる。
【図面の簡単な説明】
【００１９】
【図１】本実施形態にかかるコンテンツ配信システムの構成を説明する図。
【図２】携帯情報端末を説明する図。
【図３】乗車駅と列車に設置される装置を説明する図。
【図４】コンテンツ管理装置を説明する図。
【図５】乗車前に実行される処理を説明する図。
【図６】乗車時に実行される処理を説明する図。
【発明を実施するための形態】
【００２０】
ここから、本発明の好適な実施形態を記載する。なお、以下の記載は本発明の範囲を束縛するものでなく、理解を助けるために記述するものである。
【００２１】
図１は、本実施形態にかかるコンテンツ配信システム１の構成を説明する図である。図１に図示したようにユーザは携帯情報端末２を所持し、この携帯情報端末２には、携帯情報端末２を乗車券として利用できるように、ＮＦＣ規格に準拠した非接触ＩＣチップ２０が実装されている。
【００２２】
自動改札機３を利用して、ユーザが所持する携帯情報端末２に容量の大きいコンテンツをダウンロードすることを考えると、コンテンツのダウンロード時間が問題になり、自動改札機３では、容量の大きいコンテンツを携帯情報端末２にダウンロードできない。
【００２３】
これに対して、特急列車など、ユーザが列車に乗る距離が長距離の場合、ユーザの乗車時間が長く、容量の大きいコンテンツをユーザに配信できる時間もあるし、また、ユーザが容量の大きいコンテンツを読む時間もあると考えられる。そこで、本実施形態のコンテンツ配信システム１では、コンテンツを携帯情報端末２にダウンロードする車内端末装置６を列車内に設置し、ユーザが乗車中にコンテンツを携帯情報端末２にダウンロードできるようにしている。
【００２４】
また、本実施形態のコンテンツ配信システム１では、列車内に加え、ユーザが乗車待ち時間を利用してコンテンツをダウンロードできるように、ユーザが乗車する際に利用する駅である乗車駅の駅構外に駅構外端末装置４を設けている。
【００２５】
図１で図示したコンテンツ管理装置７は、ユーザが所持する携帯情報端末２に配信するコンテンツを管理する装置である。コンテンツ管理装置７は、鉄道会社が運営しているサーバで、ユーザに配信可能な様々なコンテンツを記憶しているコンテンツＤＢ７０が接続されている。コンテンツ管理装置７は、ユーザを識別するためのユーザＩＤとユーザが購入した乗車券情報を携帯情報端末２から受信すると、これらの情報に基づくコンテンツをコンテンツＤＢ７０から検索し、ユーザが乗車駅に設置されたコンテンツ伝送装置５へ送信する。
【００２６】
本実施形態では、ユーザは乗車駅の駅構外と乗車券を購入した列車内にてコンテンツをダウンロードできるため、コンテンツ管理装置７は、ユーザが購入した乗車券情報に基づくコンテンツとして、この乗車券情報で示される乗車駅と下車駅に基づくコンテンツを検索する。また、本実施形態のコンテンツ管理装置７は、ユーザＩＤに関連付けてユーザの嗜好情報を記憶し、ユーザＩＤに基づくコンテンツを検索する。
【００２７】
ユーザが利用する乗車駅に設置されているコンテンツ伝送装置５は、コンテンツ管理装置７から受信したコンテンツを、ユーザが利用する列車内の車内端末装置６に少なくとも伝送するために設けられた装置で、本実施形態において、コンテンツ伝送装置５は、コンテンツ管理装置７から受信したコンテンツを車内端末装置６と駅構外端末装置４それぞれに伝送する。
【００２８】
本実施形態では、コンテンツ伝送装置５が車内端末装置６へコンテンツを伝送するトリガは、ユーザが自動改札機３を通過したときとしている。また、コンテンツ管理装置７が構内端末装置へ伝送するトリガは、コンテンツ管理装置７からコンテンツを受信したときとしている。
【００２９】
ここから、図１で図示したコンテンツ配信システム１を構成する装置についてそれぞれ説明する。まず、ユーザが所持する携帯情報端末２について説明する。図２は、携帯情報端末２を説明する図である。なお、ユーザが所持する携帯情報端末２とは、具体的には、移動体通信の無線基地局と無線通信する機能を備えた携帯電話やスマートフォンなどの装置である。
【００３０】
本実施形態において、ユーザが所持する携帯情報端末２に実装される非接触ＩＣチップ２０はＮＦＣ規格に準拠したチップで、動作モードとして、非接触ＩＣカードとして機能するカードエミュレーションモード、タグや非接触ＩＣカードからデータを読み取るためのリーダー／ライターモード、そして、他のデバイス間とデータを直接交換するためのＰ２Ｐ（Peer to Peer）モードを有している。
【００３１】
本実施形態において、携帯情報端末２を所持するユーザに割り当てられたユーザＩＤと、携帯情報端末２を利用してユーザが購入した乗車券の乗車券情報が非接触ＩＣチップ２０に記憶される。ユーザＩＤは、コンテンツ管理装置７にユーザ登録した際に、コンテンツ管理装置７から携帯情報端末２に送信されて非接触ＩＣチップ２０に書き込まれる。また、乗車券情報は、携帯情報端末２を利用してユーザが乗車券を購入してから列車に乗車するまでの間に、鉄道会社が運営しているサイト（図示していない）から携帯情報端末２にダウンロードされて非接触ＩＣチップ２０に書き込まれる。
【００３２】
コンテンツの配信を受けるためには、コンテンツ管理装置７を運営する鉄道会社のサイトから提供されているアプリケーションが必要で、このアプリケーションは、コンテンツ管理装置７にユーザ登録する前に、携帯情報端末２にインストールされる。このアプリケーションが携帯情報端末２にインストールされることで、携帯情報端末２には、ユーザのプロファイル情報をコンテンツ管理装置７のユーザＤＢ７１に登録するときに作動するユーザ登録手段２１と、列車の電子乗車券を購入するときに作動する乗車券購入手段２２と、コンテンツを携帯情報端末２のメモリ２４にダウンロードするときに作動するダウンロード手段２３が備えられる。
【００３３】
携帯情報端末２のユーザ登録手段２１は、ユーザのプロファイル情報をコンテンツ管理装置７のユーザＤＢ７１に登録し、コンテンツ管理装置７から送信されたユーザＩＤを非接触ＩＣチップ２０に書き込む手段である。なお、本実施形態において、プロファイル情報は、ユーザの氏名および住所、携帯情報端末２の電話番号およびメールアドレス、ユーザのクレジットカード情報、そして、ユーザの嗜好情報を含む。
【００３４】
携帯情報端末２の乗車券購入手段２２は、ユーザが、鉄道会社のサイトへアクセスし、指定した列車番号、座席番号、乗車日時、乗車駅および下車駅等を鉄道会社のサイトへ送信して乗車券の購入手続きを行う手段である。
【００３５】
ユーザが、携帯情報端末２の乗車券購入手段２２を利用して乗車券を購入すると、携帯情報端末２の乗車券購入手段２２は、ユーザが購入した乗車券にかかる乗車券情報を非接触ＩＣチップ２０に書き込んだ後、ユーザＩＤと乗車券情報をコンテンツ管理装置７へ送信する。なお、乗車券情報は、列車番号、座席番号、乗車日時、乗車駅および下車駅等乗車日時、乗車駅および下車駅を含む。
【００３６】
携帯情報端末２のダウンロード手段２３は、車内端末装置６または駅構外端末装置４が送信するコンテンツを携帯情報端末２のメモリ２４にダウンロードする手段である。例えば、車内端末装置６からコンテンツをダウンロードするとき、携帯情報端末２のダウンロード手段２３は、非接触ＩＣチップ２０に記憶されているユーザＩＤを車内端末装置６へ送信し、車内端末装置６から受信したコンテンツを携帯端末のメモリ２４に記憶する。
【００３７】
本実施形態において、コンテンツをダウンロードする際の通信には、非接触ＩＣチップ２０のＰ２Ｐモードを用いることができるが、携帯情報端末２、車内端末装置６および駅構外端末装置４がＢｌｕｅｔｏｏｔｈ  （登録商標）やＷｉｆｉに対応している場合、ペアリングだけを非接触ＩＣチップ２０にて行い、コンテンツのダウンロードをＢｌｕｅｔｏｏｔｈ（登録商標）やＷｉｆｉにて行うようにもできる。
【００３８】
次に、乗車駅と列車に設置される装置について説明する。図３は、乗車駅と列車に設置される装置を説明する図である。
【００３９】
乗車駅の改札口に設置される自動改札機３は、携帯情報端末２に実装された非接触ＩＣチップ２０に対応し、非接触ＩＣチップ２０からユーザＩＤと乗車券情報を読み取る改札機リーダライタ３１と、改札機リーダライタ３１が読み取った乗車券情報の正当性検証（乗車日時や乗車駅の確認）を行いゲートの開閉を制御する自動改札手段３０を備える。本実施形態において、自動改札機３の自動改札手段３０は、乗車券情報の正当性検証に成功すると、ゲートを開いて駅への入場をユーザに許可した後、改札機リーダライタ３１が読み取ったユーザＩＤと乗車券情報をコンテンツ伝送装置５へ送信する。
【００４０】
乗車駅に設置されるコンテンツ伝送装置５は、汎用のサーバを用いて実現される装置で、コンテンツ管理装置７から受信したコンテンツを記憶するメモリ５１と、コンテンツ管理装置７から受信したコンテンツを車内端末装置６および駅構外端末装置４へ送信するコンテンツ伝送手段５０を備える。
【００４１】
本実施形態では、ユーザが利用する列車の車内端末装置６に送信できるように、ユーザが利用する乗車駅には無線通信用のアンテナ１ｂ（例えば、ミリ波用のアンテナ）が設置され、コンテンツ伝送装置５は、無線通信用のアンテナ１ｂを利用して列車の車内端末装置６と無線通信する。また、駅構外端末装置４とコンテンツ伝送装置５は構内ＬＡＮ１ａを介して接続している。
【００４２】
コンテンツ伝送装置５のコンテンツ伝送手段５０は、ユーザＩＤとコンテンツをコンテンツ管理装置７から受信すると、ユーザＩＤに関連付けてコンテンツをメモリ５１に記憶する。
【００４３】
また、コンテンツ伝送装置５のコンテンツ伝送手段５０は、ユーザＩＤと乗車券情報を自動改札機３から受信すると、ユーザＩＤを関連付けて乗車券情報をメモリ５１に記憶する。そして、コンテンツ伝送装置５のコンテンツ伝送手段５０は、乗車駅に設置された無線通信用のアンテナ１ｂを利用して、乗車駅に到着する列車の車上局から列車番号を取得し、コンテンツ伝送装置５のメモリ５１に記憶している乗車券情報の中に、列車の車上局から取得した列車番号と列車番号が一致する乗車券情報があるか確認する。
【００４４】
列車の車上局から取得した列車番号と列車番号が一致する乗車券情報があれば、コンテンツ伝送装置５のコンテンツ伝送手段５０は、列車番号が一致する乗車券情報に対応するユーザＩＤとユーザＩＤに対応するコンテンツをメモリから検索し、列車番号を取得した列車の車上局を介して、列車内に設置された車内端末装置６へユーザＩＤとコンテンツを伝送する。
【００４５】
また、コンテンツ伝送装置５のコンテンツ伝送手段５０は、ユーザＩＤとコンテンツをコンテンツ管理装置７から受信すると、構内ＬＡＮ１ａを介して駅構外端末装置４へこのユーザＩＤとコンテンツを伝送し、乗車駅の構内に設置された駅構外端末装置４にユーザＩＤとコンテンツを記憶させる。
【００４６】
列車内に設置される車内端末装置６は、携帯情報端末２の非接触ＩＣチップ２０と通信する車内リーダライタ６１と、コンテンツ伝送装置５から送信されたコンテンツを記憶するメモリ６２と、車内リーダライタ６１が認識した携帯情報端末２にコンテンツをダウンロードさせる車内送信手段６０を備える。なお、本実施形態では、車内リーダライタ６１は、車内端末装置６が設置される列車の各座席に設けられている。また、Ｂｌｕｅｔｏｏｔｈ  （登録商標）やＷｉｆｉを用いてコンテンツを送信する場合、車内リーダライタ６１は、Ｂｌｕｅｔｏｏｔｈ（登録商標）やＷｉｆｉに対応する。
【００４７】
車内端末装置６の車内送信手段６０は、コンテンツ伝送装置５からコンテンツを受信すると、受信したコンテンツをメモリ６２に記憶する。また、車内リーダライタ６１からユーザＩＤが通知されると、通知されたユーザＩＤに対応するコンテンツを検索し、検索したコンテンツをこの車内リーダライタ６１に送信して、ユーザＩＤを読み取った非接触ＩＣチップ２０が実装されている携帯情報端末２のメモリ２４にコンテンツを記憶させる。
【００４８】
乗車駅の駅構内に設置される駅構外端末装置４は、携帯情報端末２の非接触ＩＣチップ２０と通信する駅構外リーダライタ４１と、コンテンツ伝送装置５から送信されたコンテンツを記憶するメモリ４２と、携帯情報端末２のメモリ４２にコンテンツをダウンロードさせる駅構外送信手段４０を備える。なお、駅構外端末装置４の動作等は車内端末装置６と同様であるが、駅構外端末装置４に備えられている駅構外リーダライタ４１は一つである。
【００４９】
次に、コンテンツ管理装置７について説明する。図４は、コンテンツ管理装置７を説明する図である。
【００５０】
コンテンツ管理装置７は、汎用的なサーバを用いて実現される装置で、上述しているように、ユーザに配信可能な様々なコンテンツを記憶しているコンテンツＤＢ７０が接続される。コンテンツ管理装置７に接続しているコンテンツＤＢ７０には、コンテンツの提供会社から提供を受けたコンテンツが登録され、このコンテンツには、コンテンツにかかる駅名やコンテンツのカテゴリが付加されている。
【００５１】
また、コンテンツ管理装置７は、コンテンツ配信システム１を利用するユーザにかかる情報が登録されるユーザＤＢ７１を備える。このユーザＤＢ７１には、ユーザ登録が行われた際、コンテンツ管理装置７側で生成したユーザＩＤに関連付けて、ユーザのプロファイル情報が登録される。また、上述しているように、ユーザＩＤと乗車券情報が携帯情報端末２から送信されると、ユーザＩＤに関連付けて乗車券情報が登録される。
【００５２】
更に、コンテンツ管理装置７は、コンテンツ配信システム１を利用するユーザをユーザＤＢ７１に登録するときに作動するユーザ管理手段７２と、コンテンツを配信するときに作動するコンテンツ配信手段７３を備える。
【００５３】
コンテンツ管理装置７のユーザ管理手段７２は、ユーザ登録の要求を携帯情報端末２から受けると、ユーザのプロファイル情報を入力するフォーム情報を携帯情報端末２へ送信する。そして、ユーザのプロファイル情報を携帯情報端末２から受信すると、他のユーザＩＤと重複しないユーザＩＤを生成し、生成したユーザＩＤに関連付けてプロファイル情報をユーザＤＢ７１に登録した後、生成したユーザＩＤを携帯情報端末２へ送信する。
【００５４】
コンテンツ管理装置７のコンテンツ配信手段７３は、ユーザＩＤと乗車券情報を携帯情報端末２から受信すると、乗車券情報で示される乗車駅と下車駅のいずれか一つが付加されたコンテンツを検索し、乗車券情報で示される乗車駅に設置されているコンテンツ伝送装置５へこのユーザＩＤとこのコンテンツを送信する。
【００５５】
また、本実施形態では、コンテンツ管理装置７はユーザのプロファイル情報を記憶しているため、コンテンツ管理装置７のコンテンツ配信手段７３は、ユーザＩＤと乗車券情報を受信すると、このユーザＩＤに対応するプロファイル情報をユーザＤＢ７１から検索した後、プロファイル情報の嗜好情報に対応するカテゴリが付加されたコンテンツを検索し、乗車券情報で示される乗車駅に設置されているコンテンツ伝送装置５へこのユーザＩＤとこのコンテンツを送信する。
【００５６】
ここから、本実施形態にかかるコンテンツ配信システム１の動作を説明する。図５は、乗車前に実行される処理を説明する図で、図６は、乗車時に実行される処理を説明する図である。
【００５７】
まず、図５を参照しながら、乗車前に実行される処理について説明する。コンテンツ管理装置７にユーザ登録をしていない場合、コンテンツの配信を希望するユーザは、まず、携帯情報端末２を操作してコンテンツ管理装置７にアクセスし、コンテンツの配信に必要となるアプリケーションを携帯情報端末２にダウンロードする（Ｓ１）。コンテンツの配信に必要となるアプリケーションを携帯情報端末２にダウンロードすることで、図２に図示した各手段が携帯情報端末２に備えられることになる。
【００５８】
次に、ユーザは、携帯情報端末２を操作して、コンテンツの配信に必要となるアプリケーションを起動させ、このアプリケーションのメニューの中からユーザ登録を選択すると、携帯情報端末２のユーザ登録手段２１が作動し、携帯情報端末２のユーザ登録手段２１は、コンテンツ管理装置７に対してユーザ登録要求を送信する（Ｓ２）。
【００５９】
携帯情報端末２からユーザ登録要求を受信すると、コンテンツ管理装置７のユーザ管理手段７２が作動し、コンテンツ管理装置７のユーザ管理手段７２は、ユーザ登録要求を送信した携帯情報端末２に対して、ユーザのプロファイル情報を入力するフォーム情報を送信し（Ｓ３）、このフォーム情報が携帯情報端末２に表示される。
【００６０】
ユーザは、携帯情報端末２に表示されたフォーム情報にプロファイル情報を入力した後、プロファイル情報をコンテンツ管理装置７へ送信し（Ｓ４）、コンテンツ管理装置７のユーザ管理手段７２は、携帯情報端末２からプロファイル情報を受信すると、他のユーザＩＤと重複しないユーザＩＤを生成する（Ｓ５）。
【００６１】
コンテンツ管理装置７のユーザ管理手段７２は、生成したユーザＩＤに関連付けて、携帯情報端末２から受信したプロファイル情報をユーザＤＢ７１に記憶した後（Ｓ６）、ユーザ登録要求を送信した携帯情報端末２に対して、生成したユーザＩＤを送信する（Ｓ７）。
【００６２】
携帯情報端末２のユーザ登録手段２１は、コンテンツ管理装置７にプロファイル情報を送信した後、ユーザＩＤをコンテンツ管理装置７から受信すると、コンテンツ管理装置７から受信したユーザＩＤを非接触ＩＣチップ２０に書き込む処理を行う（Ｓ８）。
【００６３】
ユーザ登録を行ったユーザが、携帯情報端末２の乗車券購入手段２２を操作して乗車券を購入すると（Ｓ９）、携帯情報端末２の乗車券購入手段２２は、ユーザが購入した乗車券にかかる乗車券情報を非接触ＩＣチップ２０に書き込んだ後（Ｓ１０）、非接触ＩＣチップ２０に記憶されているユーザＩＤと、非接触ＩＣチップ２０に書き込んだ乗車券情報をコンテンツ管理装置７へ送信する（Ｓ１１）。
【００６４】
ユーザＩＤと乗車券情報が送信されると、コンテンツ管理装置７のコンテンツ配信手段７３は、乗車券情報で示される乗車駅と下車駅のいずれか一つが付加されたコンテンツを検索することで、ユーザの乗車券情報に基づくコンテンツを検索する（Ｓ１２）。
【００６５】
次に、コンテンツ管理装置７のコンテンツ配信手段７３は、携帯情報端末２から受信したユーザＩＤに対応するプロファイル情報をユーザＤＢ７１から検索した後、プロファイル情報の嗜好情報に対応するカテゴリが付加されたコンテンツを検索することで、ユーザの嗜好情報に基づくコンテンツを検索する（Ｓ１３）。
【００６６】
そして、コンテンツ管理装置７のコンテンツ配信手段７３は、検索したコンテンツと携帯情報端末２から受信したユーザＩＤを、携帯情報端末２から受信した乗車券情報で示される乗車駅に設置されているコンテンツ伝送装置５へ配信する（Ｓ１４）。
【００６７】
コンテンツ伝送装置５のコンテンツ送信手段は、ユーザＩＤとコンテンツをコンテンツ管理装置７から受信すると、コンテンツ管理装置７から受信したユーザＩＤに関連付けて受信したコンテンツをメモリ５１に記憶した後（Ｓ１５）、構内ＬＡＮ１ａを介して駅構外端末装置４へこのユーザＩＤとコンテンツを伝送し（Ｓ１６）、乗車駅の構内に設置された駅構外端末装置４は、コンテンツ伝送装置５から受信したユーザＩＤに関連付けて受信したコンテンツをメモリ４２に記憶して（Ｓ１７）、図５の処理は終了する。
【００６８】
次に、図６を参照しながら、乗車時に実行される処理について説明する。乗車時に実行される処理は、ユーザが、駅構外端末装置４を利用するか否かによって分岐し（Ｓ２０）、ユーザが、駅構外端末装置４を利用する場合はＳ３０に進む。
【００６９】
ユーザが、駅構外端末装置４を利用した後、または、Ｓ２０において、駅構外端末装置４を利用しない場合、ユーザが、乗車駅に設置された自動改札機３の改札機リーダライタ３１に携帯情報端末２を近接させ、自動改札機３の改札機リーダライタ３１が携帯情報端末２の非接触ＩＣチップ２０を認識すると（Ｓ２１）、自動改札機３の改札機リーダライタ３１は、認識した非接触ＩＣチップ２０からユーザＩＤと乗車券情報を読み取る（Ｓ２２）。
【００７０】
自動改札機３の自動改札手段３０は、非接触ＩＣチップ２０から読み取った乗車券情報の正当性を検証し、乗車券情報の正当性に成功すると、ゲートを開いた後、ユーザＩＤと乗車券情報をコンテンツ伝送装置５へ送信する（Ｓ２３）。
【００７１】
コンテンツ伝送装置５のコンテンツ伝送手段５０は、ユーザＩＤと乗車券情報を自動改札機３から受信すると、受信したユーザＩＤとこのユーザＩＤに対応するコンテンツを車内端末装置６へ伝送し（Ｓ２４）、車内端末装置６の車内送信手段６０は、コンテンツ伝送装置５から受信したユーザＩＤに関連付けて受信したコンテンツをメモリ６２に記憶する（Ｓ２５）。なお、受信したコンテンツを伝送する車内端末装置６は、乗車券情報の列車番号で特定される列車に設置された車内端末装置６になる。
【００７２】
この後の処理は、ユーザが車内端末装置６を利用するか否かによって処理が分岐する（Ｓ２６）。ユーザが駅構外端末装置４を利用した場合など、ユーザが車内端末装置６を利用しない場合、図６の処理は終了する。
【００７３】
ユーザが車内端末装置６を利用する際、ユーザが、座席の上に設置されている車内端末装置６の車内リーダライタ６１に携帯情報端末２を近接させ、車内リーダライタ６１が携帯情報端末２の非接触ＩＣチップ２０からユーザＩＤを読み取ると、ユーザＩＤを読み取った車内リーダライタ６１は、携帯情報端末２のダウンロード手段２３を起動させる情報を非接触ＩＣチップ２０へ送信した後、読み取ったユーザＩＤを車内端末装置６の車内送信手段６０に送信する（Ｓ２７）。
【００７４】
車内端末装置６の車内送信手段６０は、車内リーダライタ６１からユーザＩＤが送信されると、車内端末装置６のメモリ６２に記憶されているコンテンツの中から、このユーザＩＤに対応するコンテンツを検索してこの車内リーダライタ６１へ送信し（Ｓ２８）、この車内リーダライタ６１は、車内送信手段６０から送信されたコンテンツを携帯情報端末２へ送信し、携帯情報端末２のダウンロード手段２３は、車内リーダライタ６１から受信したコンテンツをメモリ２４に書き込んで（Ｓ２９）、この手順を終了する。
【００７５】
次に、ユーザが駅構外端末装置４を利用するときの処理を説明する。ユーザが、乗車駅の駅構外に設置されている駅構外端末装置４の駅構外リーダライタ４１に携帯情報端末２を近接させ、駅構外リーダライタ４１が携帯情報端末２の非接触ＩＣチップ２０からユーザＩＤを読み取ると、駅構外リーダライタ４１は、携帯情報端末２のダウンロード手段２３を起動させる情報を非接触ＩＣチップ２０へ送信した後、読み取ったユーザＩＤを駅構配信装置の駅構外送信手段４０に送信する（Ｓ３０）。
【００７６】
駅構外端末装置４の駅構外送信手段４０は、駅構外リーダライタ４１からユーザＩＤが送信されると、駅構外端末装置４のメモリ４２に記憶されているコンテンツの中から、このユーザＩＤに対応するコンテンツを検索してこの駅構外リーダライタ４１へ送信し（Ｓ３１）、駅構外リーダライタ４１は、駅構外送信手段４０から送信されたコンテンツを携帯情報端末２へ送信し、携帯情報端末２のダウンロード手段２３は、駅構外リーダライタ４１から受信したコンテンツをメモリ２４に書き込んで（Ｓ３２）、この手順を終了する。
【符号の説明】
【００７７】
１    コンテンツ配信システム
２    携帯情報端末
２０  非接触ＩＣチップ
２１  ユーザ登録手段
２２  乗車券購入手段
２３  ダウンロード手段
２４  携帯情報端末のメモリ
３    自動改札機
３０  自動改札手段
３１  改札機リーダライタ
４    駅構外端末装置
４０  駅構外送信手段
４１  駅構外リーダライタ
４２  駅構外端末装置のメモリ
５    コンテンツ伝送装置
５０  コンテンツ伝送手段
５１  コンテンツ伝送装置のメモリ
６    車内端末装置
６０  車内送信手段
６１  車内リーダライタ
６２  車内端末装置のメモリ
７    コンテンツ管理装置
７０  コンテンツＤＢ
７１  ユーザＤＢ
７２  ユーザ管理手段
７３  コンテンツ配信手段
【図１】
2014115940.tif 000003
【図２】
2014115940.tif 000004
【図３】
2014115940.tif 000005
【図４】
2014115940.tif 000006
【図５】
2014115940.tif 000007
【図６】
2014115940.tif 000008